(57)【特許請求の範囲】
【請求項１】
ユーザ端末と無線通信する複数の基地局を制御する基地局制御装置であって、
各ユーザ端末にデータ信号を送信するサービング基地局を、そのユーザ端末に関するチャネル品質情報に基づいて、そのユーザ端末への下りリンクのデータ信号を共有する複数の基地局の中から周期的に選択するサービング基地局選択部と、
各ユーザ端末に対するありうるサービング基地局の候補の複数の組合せを決定するサービング基地局候補組合せ決定部と、
前記組合せの各々に関して、各ユーザ端末について複数のチャネル品質情報の中から１つのチャネル品質情報を選択するチャネル品質情報選択部と、
前記組合せの各々に関して、選択されたチャネル品質情報に基づいて、各ユーザ端末について、サービング基地局の選択のための基準であるメトリックを計算するメトリック計算部とを備え、
前記メトリック計算部は、
各ユーザ端末の複数のサービング基地局候補の各々について、そのユーザ端末への下りリンクのデータ送信に使用されるべきサブバンドを推定するサブバンド推定部と、
各ユーザ端末の各サービング基地局候補について、前記サブバンド推定部で推定された前記サブバンドの個別メトリックを決定する個別メトリック決定部と、
各ユーザ端末の各サービング基地局候補について前記個別メトリックの合計である前記メトリックを計算する合計メトリック計算部とを備え、
前記サービング基地局選択部は、前記組合せの各々に関する複数のユーザ端末についての前記メトリックの総和に基づいて、各ユーザ端末への下りリンクのデータ送信に使用されるべきサービング基地局の組合せを前記候補の組合せから選択することを特徴とする基地局制御装置。
【請求項２】
前記サブバンド推定部は、各ユーザ端末の各サービング基地局候補について、最後に、そのユーザ端末への下りリンクのデータ送信に使用されたサブバンドを、そのユーザ端末への下りリンクのデータ送信に使用されるべきサブバンドとして推定し、
前記個別メトリック計算部は、前記サブバンド推定部で推定されたサブバンドの個別メトリックを前記チャネル品質情報に基づいて決定することを特徴とする請求項１に記載の基地局制御装置。
【請求項３】
前記サブバンド推定部は、各ユーザ端末の各サービング基地局候補について、利用可能なすべてのサブバンドでの予測メトリックを、前記チャネル品質情報に基づいて推定し、各サブバンドについて最良の予測メトリックに対応するユーザ端末を、そのサブバンドにおいて下りリンクのデータ送信に使用するユーザ端末として推定し、この推定に従って、各ユーザ端末への下りリンクのデータ送信に使用されるべきサブバンドを推定し、
前記個別メトリック決定部は、各ユーザ端末に対して前記サブバンド推定部で推定された前記サブバンドに対応する前記予測メトリックを、そのユーザ端末の個別メトリックとして決定する
ことを特徴とする請求項１に記載の基地局制御装置。
【請求項４】
ユーザ端末と無線通信する複数の基地局と、
各ユーザ端末にデータ信号を送信するサービング基地局を、そのユーザ端末に関するチャネル品質情報に基づいて、そのユーザ端末への下りリンクのデータ信号を共有する複数の基地局の中から周期的に選択するサービング基地局選択部と、
各ユーザ端末に対するありうるサービング基地局の候補の複数の組合せを決定するサービング基地局候補組合せ決定部と、
前記組合せの各々に関して、各ユーザ端末について複数のチャネル品質情報の中から１つのチャネル品質情報を選択するチャネル品質情報選択部と、
前記組合せの各々に関して、選択されたチャネル品質情報に基づいて、各ユーザ端末について、サービング基地局の選択のための基準であるメトリックを計算するメトリック計算部とを備え、
前記メトリック計算部は、
各ユーザ端末の複数のサービング基地局候補の各々について、そのユーザ端末への下りリンクのデータ送信に使用されるべきサブバンドを推定するサブバンド推定部と、
各ユーザ端末の各サービング基地局候補について、前記サブバンド推定部で推定された前記サブバンドの個別メトリックを決定する個別メトリック決定部と、
各ユーザ端末の各サービング基地局候補について前記個別メトリックの合計である前記メトリックを計算する合計メトリック計算部とを備え、
前記サービング基地局選択部は、前記組合せの各々に関する複数のユーザ端末についての前記メトリックの総和に基づいて、各ユーザ端末への下りリンクのデータ送信に使用されるべきサービング基地局の組合せを前記候補の組合せから選択することを特徴とする無線通信ネットワーク。
【請求項５】
ユーザ端末と無線通信する複数の基地局を制御する基地局制御方法であって、
各ユーザ端末にデータ信号を送信するサービング基地局を、そのユーザ端末に関するチャネル品質情報に基づいて、そのユーザ端末への下りリンクのデータ信号を共有する複数の基地局の中から周期的に選択することと、
各ユーザ端末に対するありうるサービング基地局の候補の複数の組合せを決定することと、
前記組合せの各々に関して、各ユーザ端末について複数のチャネル品質情報の中から１つのチャネル品質情報を選択することと、
前記組合せの各々に関して、選択されたチャネル品質情報に基づいて、各ユーザ端末について、サービング基地局の選択のための基準であるメトリックを計算することとを備え、
前記メトリックを計算することは、
各ユーザ端末の複数のサービング基地局候補の各々について、そのユーザ端末への下りリンクのデータ送信に使用されるべきサブバンドを推定することと、
各ユーザ端末の各サービング基地局候補について、推定された前記サブバンドの個別メトリックを決定することと、
各ユーザ端末の各サービング基地局候補について前記個別メトリックの合計である前記メトリックを計算することとを備え、
前記サービング基地局を選択することは、前記組合せの各々に関する複数のユーザ端末についての前記メトリックの総和に基づいて、各ユーザ端末への下りリンクのデータ送信に使用されるべきサービング基地局の組合せを前記候補の組合せから選択することを備えることを特徴とする基地局制御方法。
【請求項６】
前記サブバンドを推定することは、各ユーザ端末の各サービング基地局候補について、最後に、そのユーザ端末への下りリンクのデータ送信に使用されたサブバンドを、そのユーザ端末への下りリンクのデータ送信に使用されるべきサブバンドとして推定することであり、
前記個別メトリックを計算することは、推定されたサブバンドの個別メトリックを前記チャネル品質情報に基づいて決定することである
ことを特徴とする請求項５に記載の基地局制御方法。
【請求項７】
前記サブバンドを推定することは、各ユーザ端末の各サービング基地局候補について、利用可能なすべてのサブバンドでの予測メトリックを、前記チャネル品質情報に基づいて推定し、各サブバンドについて最良の予測メトリックに対応するユーザ端末を、そのサブバンドにおいて下りリンクのデータ送信に使用するユーザ端末として推定し、この推定に従って、各ユーザ端末への下りリンクのデータ送信に使用されるべきサブバンドを推定することであり、
前記個別メトリックを決定することは、各ユーザ端末に対して使用されるべきと推定された前記サブバンドに対応する前記予測メトリックを、そのユーザ端末の個別メトリックとして決定することである
ことを特徴とする請求項５に記載の基地局制御方法。
【発明の詳細な説明】
【技術分野】
【０００１】
本発明は、基地局制御装置、無線通信ネットワークおよび基地局制御方法に関する。
【背景技術】
【０００２】
3GPP（Third Generation Partnership Project）におけるLTE（Long Term Evolution）では、ユーザ端末（UE（user equipment））がチャネル品質情報（CQI（Channel Quality Indicator））を基地局（eNodeB）にフィードバックし、基地局はＣＱＩに基づいて、各ユーザ端末に対するスケジューリングを行う。さらに、LTE Release 11では、ユーザ端末が複数種類のＣＱＩをフィードバックすることが可能である。複数種類のＣＱＩとは、異なる干渉基地局の干渉信号により異なるＳＩＮＲ（信号電力対雑音干渉電力比）を量子化したＣＱＩである。
【０００３】
基地局は、ユーザ端末に対して、ＣＱＩの計算に用いる複数の信号電力測定用リソース(CSI-RS resource)と干渉信号電力測定用リソース（CSI-IM resource（CSI-interference measurement resource)）の組合せであるCSI processを指定することが可能である（非特許文献１、節７．２、節７．２．５、節７．２．６）。各ユーザ端末が複数種類のＣＱＩをフィードバックすることにより、複数の基地局で連携した高精度な制御が可能である。
【０００４】
ＬＴＥ  Advancedでは、ユーザ端末への下りリンクデータ送信のスループットを改善させるための基地局間協調送信（Coordinated Multi-point transmission (CoMP)）が検討されている。様々なCoMPが案出されており、その中にはＤＰＳ（Dynamic Point Selection）とＤＰＢ（Dynamic Point Blanking）がある。以下、基地局を送信ポイント（Transmission Point）と呼ぶことがある。
【０００５】
ＤＰＳは、複数の送信ポイントが１つのユーザ端末を宛先とする下りリンクのデータ信号を共有し、ある時間には１つの送信ポイントがデータ信号を送信し、他の時間には他の送信ポイントがデータ信号を送信する技術であり、下りリンクのデータ信号を送信する送信ポイント（サービング基地局）は、これらの複数の送信ポイントから周期的（１サブフレーム（１ｍｓ）周期）に選択される。例えば、そのユーザ端末の複数種類のＣＱＩに基づいて、スループットがより高いと予測される送信ポイントが選択される。
【０００６】
ＤＰＢは、データ信号を送信する送信ポイントからのデータ信号に対する干渉信号の送信元となる近隣の送信ポイントの送信を停止（ブランキング）することにより、セル間干渉を低減する技術である。
【先行技術文献】
【非特許文献】
【０００７】
【非特許文献１】3GPP TS 36.213 V11.6.0 (2014-03), 3rd Generation Partnership Project; Technical Specification Group Radio Access Network; Evolved Universal Terrestrial Radio Access (E-UTRA); "Physical layer procedures" (Release 11)，2014年3月
【発明の概要】
【発明が解決しようとする課題】
【０００８】
ＤＰＳを実施する場合には、各基地局がユーザ端末に対してすべてのサブバンドを使用して下りリンクデータ送信すると仮定した場合のスループットを推定する。そして、推定された送信スループットが高い方の基地局をそのユーザ端末のサービング基地局として選択すなわち決定する。しかし、各基地局がすべてのサブバンドを使用して１つのユーザ端末に下りリンクデータ送信すると仮定して推定される送信スループットは、実際に基地局でユーザ端末に割り当てられるサブバンドを使用したときの送信スループットと異なることがある。１つの基地局に複数のユーザ端末が接続する場合には、１つのユーザ端末にすべてのサブバンドは割り当てられないからである。また、ある基地局に接続されるユーザ端末の数と他の基地局に接続されるユーザ端末の数が顕著に相違する場合には、ユーザ端末に割り当てられるサブバンドの数は基地局によって大きく異なる。各基地局がすべてのサブバンドを使用して１つのユーザ端末に下りリンクデータ送信すると仮定して送信スループットを推定すると、実際には送信スループットが低い基地局がサービング基地局として選択されるおそれがある。
【０００９】
そこで、本発明は、ユーザ端末へのデータ送信に使用されるべきサブバンドを推定し、その推定に基づいて、サービング基地局を適切に選択する基地局制御装置、無線通信ネットワークおよび基地局制御方法を提供する。
【課題を解決するための手段】
【００１０】
本発明に係る基地局制御装置は、ユーザ端末と無線通信する複数の基地局を制御する基地局制御装置であって、各ユーザ端末にデータ信号を送信するサービング基地局を、そのユーザ端末に関するチャネル品質情報に基づいて、そのユーザ端末への下りリンクのデータ信号を共有する複数の基地局の中から周期的に選択するサービング基地局選択部と、各ユーザ端末に対するありうるサービング基地局の候補の複数の組合せを決定するサービング基地局候補組合せ決定部と、前記組合せの各々に関して、各ユーザ端末について複数のチャネル品質情報の中から１つのチャネル品質情報を選択するチャネル品質情報選択部と、前記組合せの各々に関して、選択されたチャネル品質情報に基づいて、各ユーザ端末について、サービング基地局の選択のための基準であるメトリックを計算するメトリック計算部とを備え、前記メトリック計算部は、各ユーザ端末の複数のサービング基地局候補の各々について、そのユーザ端末への下りリンクのデータ送信に使用されるべきサブバンドを推定するサブバンド推定部と、各ユーザ端末の各サービング基地局候補について、前記サブバンド推定部で推定された前記サブバンドの個別メトリックを決定する個別メトリック決定部と、各ユーザ端末の各サービング基地局候補について前記個別メトリックの合計である前記メトリックを計算する合計メトリック計算部とを備え、前記サービング基地局選択部は、前記組合せの各々に関する複数のユーザ端末についての前記メトリックの総和に基づいて、各ユーザ端末への下りリンクのデータ送信に使用されるべきサービング基地局の組合せを前記候補の組合せから選択する。
【００１１】
本発明に係る無線通信ネットワークは、ユーザ端末と無線通信する複数の基地局と、各ユーザ端末にデータ信号を送信するサービング基地局を、そのユーザ端末に関するチャネル品質情報に基づいて、そのユーザ端末への下りリンクのデータ信号を共有する複数の基地局の中から周期的に選択するサービング基地局選択部と、各ユーザ端末に対するありうるサービング基地局の候補の複数の組合せを決定するサービング基地局候補組合せ決定部と、前記組合せの各々に関して、各ユーザ端末について複数のチャネル品質情報の中から１つのチャネル品質情報を選択するチャネル品質情報選択部と、前記組合せの各々に関して、選択されたチャネル品質情報に基づいて、各ユーザ端末について、サービング基地局の選択のための基準であるメトリックを計算するメトリック計算部とを備え、前記メトリック計算部は、各ユーザ端末の複数のサービング基地局候補の各々について、そのユーザ端末への下りリンクのデータ送信に使用されるべきサブバンドを推定するサブバンド推定部と、各ユーザ端末の各サービング基地局候補について、前記サブバンド推定部で推定された前記サブバンドの個別メトリックを決定する個別メトリック決定部と、各ユーザ端末の各サービング基地局候補について前記個別メトリックの合計である前記メトリックを計算する合計メトリック計算部とを備え、前記サービング基地局選択部は、前記組合せの各々に関する複数のユーザ端末についての前記メトリックの総和に基づいて、各ユーザ端末への下りリンクのデータ送信に使用されるべきサービング基地局の組合せを前記候補の組合せから選択する。
【００１２】
本発明に係る基地局制御方法は、ユーザ端末と無線通信する複数の基地局を制御する基地局制御方法であって、各ユーザ端末にデータ信号を送信するサービング基地局を、そのユーザ端末に関するチャネル品質情報に基づいて、そのユーザ端末への下りリンクのデータ信号を共有する複数の基地局の中から周期的に選択することと、各ユーザ端末に対するありうるサービング基地局の候補の複数の組合せを決定することと、前記組合せの各々に関して、各ユーザ端末について複数のチャネル品質情報の中から１つのチャネル品質情報を選択することと、前記組合せの各々に関して、選択されたチャネル品質情報に基づいて、各ユーザ端末について、サービング基地局の選択のための基準であるメトリックを計算することとを備え、前記メトリックを計算することは、各ユーザ端末の複数のサービング基地局候補の各々について、そのユーザ端末への下りリンクのデータ送信に使用されるべきサブバンドを推定することと、各ユーザ端末の各サービング基地局候補について、推定された前記サブバンドの個別メトリックを決定することと、各ユーザ端末の各サービング基地局候補について前記個別メトリックの合計である前記メトリックを計算することとを備え、前記サービング基地局を選択することは、前記組合せの各々に関する複数のユーザ端末についての前記メトリックの総和に基づいて、各ユーザ端末への下りリンクのデータ送信に使用されるべきサービング基地局の組合せを前記候補の組合せから選択することを備える。
【発明の効果】
【００１３】
本発明においては、各ユーザ端末の複数のサービング基地局候補の各々について、そのユーザ端末への下りリンクのデータ送信に使用されるべきサブバンドを推定し、その推定に基づいてサービング基地局の組合せを選択するので、サービング基地局を適切に選択することができる。
【図面の簡単な説明】
【００１４】
【図１】本発明の実施の形態に係る無線通信ネットワークを示す概略図である。
【図２】CSI-RSリソースおよびCSI-IMリソースを説明するための図である。
【図３】CSIプロセスを示す表である。
【図４】ＤＰＳおよびＤＰＢを説明するための図である。
【図５】１つのユーザ端末で計算される複数のＣＱＩを示す図である。
【図６】１つのユーザ端末について異なる基地局からデータ信号が送信される場合のサブバンドごとのＣＱＩを示す図である。
【図７】３つの基地局で実施されるＤＰＳおよびＤＰＢを説明するための図である。
【図８】ＤＰＳの実施に伴うトラフィック状況の変化に伴う干渉状況の変化に応じて、ＤＰＢに使用すべきＣＱＩの変化を説明するための図である。
【図９】基地局へ接続されるユーザ端末の数の偏りを示す図である。
【図１０】図９の状況での１つのユーザ端末について異なる基地局からデータ信号が送信される場合のサブバンドごとのＣＱＩを示す図である。
【図１１】本発明の実施の形態に係る基地局制御装置の構成を示すブロック図である。
【図１２】本発明の実施の形態に係る基地局制御方法を示すフローチャートである。
【図１３】基地局制御方法において決定される、各ユーザ端末に対するありうるサービング基地局の候補の複数の組合せと、各組合せにおいて仮定される非送信基地局を示す表である。
【図１４】各ユーザ端末で計算される複数のＣＱＩを示す図である。
【図１５】サービング基地局の候補の組合せの各々に関して、選択されたＣＱＩを示す表である。
【図１６】１つのユーザ端末のサービング基地局の履歴を示す図である。
【図１７】基地局でデータ信号の送信に過去に使用されたサブバンドを示す図である。
【図１８】他の基地局でデータ信号の送信に過去に使用されたサブバンドを示す図である。
【図１９】実施の形態の変形で推定される１つの基地局で各サブバンドがユーザ端末に割り当てられた場合の予測メトリックを示す表である。
【発明を実施するための形態】
【００１５】
以下、添付の図面を参照しながら本発明に係る様々な実施の形態を説明する。
図１に示すように、本発明に係る無線通信ネットワークは、基地局制御装置１０および複数の基地局（送信ポイント）ＴＰ１，ＴＰ２，ＴＰ３を備える。基地局ＴＰ１，ＴＰ２，ＴＰ３は、ユーザ端末ＵＥ１，ＵＥ２と無線通信する。基地局とユーザ端末の通信は、例えばＬＴＥ Advancedに準拠する。基地局制御装置１０は、基地局ＴＰ１，ＴＰ２，ＴＰ３と通信し、これらの基地局ＴＰ１，ＴＰ２，ＴＰ３を制御する。
【００１６】
図２は、２つの基地局ＴＰ１，ＴＰ２が送信する通信リソースを示す。図２において、各マス目は時間と周波数で定義される通信リソースである。黒のリソースはＣＳＩ−ＲＳ（channel state information reference signal）の送信に使用され、灰色のリソースはPDSCH（physical downlink shared channel）のデータ信号の送信に使用され、白のリソースは無送信（下り送信に使用されないこと）を示す。
【００１７】
図２において、第１行（上から１番目の周波数ポイント）の第２，３列（左から２，３番目の時間ポイント）のリソースは、基地局ＴＰ１の下りリンク送信には使用されず、基地局ＴＰ２からのPDSCHに使用される。したがって、基地局ＴＰ１からサービングされるユーザ端末は、これらのリソースを使って、基地局ＴＰ１以外の基地局（例えば基地局ＴＰ２）からの干渉信号の電力を推定することができる。これらのリソースをCSI-IM resources #1と呼ぶ。
【００１８】
第２行（上から２番目の周波数ポイント）の第２，３列のリソースは、基地局ＴＰ１からのＣＳＩ−ＲＳに割り当てられ、基地局ＴＰ２の下りリンク送信には使用されない。したがって、基地局ＴＰ１からサービングされるユーザ端末は、これらのリソースを使って、基地局ＴＰ１からの信号の電力を推定することができる。これらのリソースをCSI-RS resources #1と呼ぶ。
【００１９】
第３行の第２，３列のリソースは、基地局ＴＰ１の下りリンク送信には使用されず、基地局ＴＰ２からのＣＳＩ−ＲＳに割り当てられる。したがって、基地局ＴＰ２からサービングされるユーザ端末は、これらのリソースを使って、基地局ＴＰ２からの信号の電力を推定することができる。これらのリソースをCSI-RS resources #2と呼ぶ。
【００２０】
第４行の第２，３列のリソースは、基地局ＴＰ１からのPDSCHに使用され、基地局ＴＰ２の下りリンク送信には使用されない。したがって、基地局ＴＰ２からサービングされるユーザ端末は、これらのリソースを使って、基地局ＴＰ２以外の基地局（例えば基地局ＴＰ１）からの干渉信号の電力を推定することができる。これらのリソースをCSI-IM resources #2と呼ぶ。
【００２１】
第５行の第２，３列のリソースは、基地局ＴＰ１の下りリンク送信に使用されず、基地局ＴＰ２の下りリンク送信にも使用されない。したがって、基地局ＴＰ１または基地局ＴＰ２からサービングされるユーザ端末は、これらのリソースを使って、基地局ＴＰ１およびＴＰ２以外の基地局（例えば基地局ＴＰ３）からの干渉信号の電力を推定することができる。これらのリソースをCSI-IM resources #3と呼ぶ。
【００２２】
各基地局は、その基地局がサービングするユーザ端末に対して、ＣＱＩの計算に用いる複数の信号電力測定用リソース(CSI-RS resource)と干渉信号電力測定用リソース（CSI-IM resource（CSI-interference measurement resource)）の組合せであるCSI processを指定することが可能である。図３は基地局がユーザ端末に指定することができるCSI processを示す表である。CSI process #1では、基地局ＴＰ１からサービングされるユーザ端末は、CSI-RS resources #1を利用して基地局ＴＰ１からの所望信号の電力を推定し、CSI-IM resources #1を利用して基地局ＴＰ１以外の基地局（例えば基地局ＴＰ２）からの干渉信号の電力を推定する。そして、ユーザ端末は、所望信号と干渉信号からＳＩＮＲを計算し、そのＳＩＮＲを量子化したＣＱＩをサービング基地局にフィードバックする。CSI process #2では、基地局ＴＰ１からサービングされるユーザ端末は、CSI-RS resources #1を利用して基地局ＴＰ１からの所望信号の電力を推定し、CSI-IM resources #3を利用して基地局ＴＰ１およびＴＰ２以外の基地局からの干渉信号の電力を推定する。そして、ユーザ端末は、所望信号と干渉信号から他のＳＩＮＲを計算し、そのＳＩＮＲを量子化したＣＱＩをサービング基地局にフィードバックする。
【００２３】
CSI process #3では、基地局ＴＰ２からサービングされるユーザ端末は、CSI-RS resources #2を利用して基地局ＴＰ２からの所望信号の電力を推定し、CSI-IM resources #2を利用して基地局ＴＰ２以外の基地局（例えば基地局ＴＰ１）からの干渉信号の電力を推定する。そして、ユーザ端末は、所望信号と干渉信号からＳＩＮＲを計算し、そのＳＩＮＲを量子化したＣＱＩをサービング基地局にフィードバックする。CSI process #4では、基地局ＴＰ２からサービングされるユーザ端末は、CSI-RS resources #2を利用して基地局ＴＰ２からの所望信号の電力を推定し、CSI-IM resources #3を利用して基地局ＴＰ１およびＴＰ２以外の基地局からの干渉信号の電力を推定する。そして、ユーザ端末は、所望信号と干渉信号から他のＳＩＮＲを計算し、そのＳＩＮＲを量子化したＣＱＩをサービング基地局にフィードバックする。
【００２４】
１つのユーザ端末に複数のCSI processが指定されることにより、そのユーザ端末は複数種類のＣＱＩを求めてそれらをフィードバックすることができる。例えば、１つのユーザ端末に、CSI process #1とCSI process #3を指定すれば、そのユーザ端末は、基地局ＴＰ１からの所望信号と基地局ＴＰ２からの干渉信号に基づくＣＱＩと、基地局ＴＰ２からの所望信号と基地局ＴＰ１からの干渉信号に基づくＣＱＩをフィードバックする。各ユーザ端末が複数種類のＣＱＩをフィードバックすることにより、複数の基地局は例えばそれらのＣＱＩを共有し、複数の基地局で連携した高精度な制御（例えばＤＰＳおよびＤＰＢ）が可能である。
【００２５】
図４は、ＤＰＳおよびＤＰＢを説明するための図である。ＤＰＳは、複数の送信ポイント（例えば基地局ＴＰ１およびＴＰ２）が１つのユーザ端末（例えばユーザ端末ＵＥ１）を宛先とする下りリンクのデータ信号を共有し、ある時間には１つの送信ポイントがデータ信号を送信し、他の時間には他の送信ポイントがデータ信号を送信する技術であり、下りリンクのデータ信号を送信する送信ポイント（サービング基地局）は、これらの複数の送信ポイントから周期的（１サブフレーム（１ｍｓ）周期）に選択される。例えば、そのユーザ端末の複数種類のＣＱＩに基づいて、送信スループットがより高いと予測される送信ポイントが選択される。ＤＰＢは、データ信号を送信する送信ポイントからのデータ信号に対する干渉信号の送信元となる近隣の送信ポイントの送信を停止（ブランキング）することにより、セル間干渉を低減する技術である。例えば、図示の状態で、基地局ＴＰ２からの下りリンク送信をブランキングすれば、基地局ＴＰ１からの所望信号をユーザ端末ＵＥ１は高精度で受信することができる。ＤＰＳとＤＰＢは個別に実施してもよいし、併用されてもよい。
【００２６】
図５および図６を参照し、ＤＰＳの１つの手法を説明する。図５は、ユーザ端末ＵＥ１で計算される複数種類のＣＱＩを示す。２つの基地局ＴＰ１，ＴＰ２がユーザ端末ＵＥ１のサービング基地局になりえ、他の基地局が存在しないと仮定される状況では、４種類のＣＱＩが想定される。基地局ＴＰ１，ＴＰ２の一方がサービング基地局（サービングセル）のとき、他方は干渉となる下りリンク信号を送信する干渉基地局（干渉セル）であるか、下りリンク信号を送信しないブランキング基地局（ブランキングセル）である。
【００２７】
各ユーザ端末は、複数種類のＣＱＩを下りリンク送信に使用される周波数帯のサブバンドごとに計算する。図６の上のグラフは、基地局ＴＰ１がサービング基地局であり基地局ＴＰ２が干渉基地局である場合の各サブバンドにおけるＣＱＩ（すなわちＣＱＩ１）を示し、下のグラフは、基地局ＴＰ２がサービング基地局であり基地局ＴＰ１が干渉基地局である場合の各サブバンドにおけるＣＱＩ（すなわちＣＱＩ３）を示す。
【００２８】
基地局制御装置１０は、ユーザ端末のこれらのＣＱＩに基づいて、各基地局がすべてのサブバンドを使用してそのユーザ端末に下りリンクデータ送信すると仮定した場合の送信スループットを推定すなわち計算する。そして、推定された送信スループットが高い方の基地局をそのユーザ端末のサービング基地局として選択すなわち決定する。このようなサービング基地局の選択は、１サブフレーム周期で行われる。
【００２９】
しかし、ＤＰＳを実施する場合には、送信ポイントの選択結果により、ある基地局の下りリンクのトラフィックが発生したりなくなったりする。下りリンクのトラフィックがなくなれば、その基地局は他の基地局からサービングされるユーザ端末に干渉を与えない。例えば、図７に示すネットワークにおいて、ユーザ端末ＵＥ１のサービング基地局がＤＰＳにより基地局ＴＰ２から基地局ＴＰ１に変更されたと想定する。この場合、基地局ＴＰ２がサービングする他のユーザ端末がなければ、基地局ＴＰ２はユーザ端末ＵＥ２に干渉を与えなくなる。ユーザ端末ＵＥ２のサービング基地局候補が基地局ＴＰ２とＴＰ３である場合には、ＤＰＳでのユーザ端末ＵＥ２のためのサービング基地局の選択においては、図８に示すＵＥ２のＣＱＩ＃１〜ＣＱＩ＃４のうちＣＱＩ＃３（基地局ＴＰ３がサービング基地局であり基地局ＴＰ２が干渉基地局である）を使用すると、基地局ＴＰ２は実際には干渉基地局ではなくブランキング基地局であるから、不適切なＣＱＩに基づいて、ユーザ端末ＵＥ２のためのサービング基地局が選択されてしまう。この場合には、ＣＱＩ＃３ではなく、ＣＱＩ＃４（基地局ＴＰ３がサービング基地局であり基地局ＴＰ２がブランキング基地局である）を使用すべきであり、ＣＱＩ＃１（基地局ＴＰ２がサービング基地局であり基地局ＴＰ３が干渉基地局である）で得られるスループットと、ＣＱＩ＃４で得られるスループットの比較により、サービング基地局を選択すべきである。
【００３０】
そこで、この実施の形態に係る基地局制御装置１０は、トラフィック状況の変化に伴う干渉状況の変化に応じて、サービング基地局を適切に選択する。
【００３１】
また、上記のように、各基地局がすべてのサブバンドを使用して１つのユーザ端末に下りリンクデータ送信すると仮定して推定される送信スループットは、実際に基地局でユーザ端末に割り当てられるサブバンドを使用したときの送信スループットと異なることがある。１つの基地局に複数のユーザ端末が接続する場合には、１つのユーザ端末にすべてのサブバンドは割り当てられないからである。さらに、図９に示すように、ある基地局に接続されるユーザ端末の数と他の基地局に接続されるユーザ端末の数が顕著に相違する場合には、ユーザ端末に割り当てられるサブバンドの数は基地局によって大きく異なる。例えば、図９に示す状況において、ユーザ端末ＵＥ１が基地局ＴＰ２に接続すれば、基地局ＴＰ２には他のユーザ端末が接続されていないため、図１０に示すように、基地局ＴＰ２のすべてのサブバンドがユーザ端末ＵＥ１に割り当てられる一方、ユーザ端末ＵＥ１が基地局ＴＰ１に接続しても、基地局ＴＰ１には多くのユーザ端末が接続されているため、基地局ＴＰ１のわずかなサブバンドしかユーザ端末ＵＥ１には割り当てられない。各基地局がすべてのサブバンドを使用して１つのユーザ端末に下りリンクデータ送信すると仮定して送信スループットを推定すると、実際には送信スループットが低い基地局がサービング基地局として選択されるおそれがある。
【００３２】
そこで、この実施の形態に係る基地局制御装置１０は、ユーザ端末へのデータ送信に使用されるべきサブバンドを推定し、その推定に基づいて、サービング基地局を適切に選択する。
【００３３】
図１１に示すように、基地局制御装置１０は、基地局通信部１２とコントローラ１４と記憶装置１５を備える。コントローラ１４は、サービング基地局選択部１６、基地局送信停止部１８、サービング基地局候補組合せ決定部２０、チャネル品質情報選択部２２およびメトリック計算部２４を備える。メトリック計算部２４は、サブバンド推定部２６、個別メトリック決定部２８および合計メトリック計算部３０を備える。
【００３４】
基地局通信部１２は、基地局制御装置１０がネットワーク内の他の要素、例えば基地局ＴＰ１，ＴＰ２，ＴＰ３と通信するための通信インターフェースである。
【００３５】
コントローラ１４は、例えばＣＰＵ（central processing unit）である。コントローラ１４の内部要素は、コントローラ１４が記憶装置１５に格納されたコンピュータプログラムを実行し、そのコンピュータプログラムに従って機能することによって実行される機能ブロックである。コントローラ１４の機能を以下に説明する。
【００３６】
サービング基地局選択部１６はＤＰＳを実行するための要素である。具体的には、サービング基地局選択部１６は、各ユーザ端末にデータ信号を送信するサービング基地局を、そのユーザ端末に関するＣＱＩに基づいて、そのユーザ端末への下りリンクのデータ信号を共有する複数のサービング基地局候補の中から周期的に選択する。サービング基地局選択部１６は、選択結果に基づいて、各基地局を制御する。
【００３７】
基地局送信停止部１８は、ＤＰＳの結果に基づき、非送信基地局（ブランキング基地局）を決定するための要素である。具体的には、基地局送信停止部１８は、各ユーザ端末について選択されたサービング基地局以外の他の基地局であるブランキング基地局の下りリンク送信を停止するように、ブランキング基地局に指令する。コントローラ１４の他の要素の機能は、下記のフローチャートの説明において説明する。
【００３８】
図１２は、この実施の形態に係る基地局制御方法を示すフローチャートである。この方法は、上記のコンピュータプログラムに従って、コントローラ１４が機能することにより実行される。以下の説明では、３つのユーザ端末ＵＥ１，ＵＥ２，ＵＥ３について、３つのサービング基地局の候補（基地局ＴＰ１，ＴＰ２，ＴＰ３）があると想定する。しかし、本発明は、さらに多くのユーザ端末について、さらに多くのサービング基地局の候補がある場合に適用される。
【００３９】
ステップＳ１において、コントローラ１４のサービング基地局候補組合せ決定部２０は、各ユーザ端末ＵＥ１，ＵＥ２，ＵＥ３に対するありうるサービング基地局ＴＰ１，ＴＰ２，ＴＰ３の候補の複数の組合せを決定し、各組合せにおいて仮定されるブランキング基地局を決定する。図１３は、その決定結果を示す。例えば、組合せ番号１では、ユーザ端末ＵＥ１，ＵＥ２，ＵＥ３に対して、サービング基地局候補は基地局ＴＰ１であり、必然的にブランキング基地局は基地局ＴＰ２，ＴＰ３である。組合せ番号４では、ユーザ端末ＵＥ１，ＵＥ２，ＵＥ３に対して、サービング基地局候補はそれぞれ基地局ＴＰ１，ＴＰ２，ＴＰ３であり、必然的にブランキング基地局はない。組合せ番号８では、ユーザ端末ＵＥ１，ＵＥ２に対してサービング基地局候補は基地局ＴＰ２であり、ユーザ端末ＵＥ３に対してサービング基地局候補は基地局ＴＰ３であり、必然的にブランキング基地局は基地局ＴＰ１である。
【００４０】
ステップＳ２で、コントローラ１４のチャネル品質情報選択部２２は、組合せ番号Ｎ＝１を選択する。つまり、組合せ番号１のサービング基地局候補とブランキング基地局の組合せを選択する。ステップＳ３で、チャネル品質情報選択部２２は、組合せ番号Ｎの組合せに関して、各ユーザ端末ＵＥ１，ＵＥ２，ＵＥ３について複数種類のＣＱＩの中から１つのチャネル品質情報ＣＱＩを選択する。
【００４１】
図１４は、ユーザ端末ＵＥ１，ＵＥ２，ＵＥ３の各々で計算される複数種類のＣＱＩを示す。例えば、いずれのユーザ端末についても、ＣＱＩ＃１は基地局ＴＰ１がサービング基地局であり基地局ＴＰ２，ＴＰ３が干渉基地局である場合のＣＱＩであり、ユーザ端末ＵＥ１についてＣＱＩ＃２は基地局ＴＰ１がサービング基地局であり基地局ＴＰ２がブランキング基地局でありＴＰ３が干渉基地局である場合のＣＱＩである。３つのサービング基地局候補があるので、理論的には各ユーザ端末は１２種類のＣＱＩを計算することができる。しかし、ユーザ端末の処理負担を考慮し、ＬＴＥの仕様書では、１つのユーザ端末が計算するＣＱＩの種類の数は４までに制限されている（3GPP TS 36.213 V11.6.0、節７．２．１）。よって、図示のＣＱＩは、各ユーザ端末で計算される最大数の種類のＣＱＩである。ユーザ端末で計算されるＣＱＩの種類は、以前の段階で、基地局のCSI processの指定により、ユーザ端末に指示されている。
【００４２】
ステップＳ３で、チャネル品質情報選択部２２は、組合せ番号Ｎの組合せに関して、各ユーザ端末ＵＥ１，ＵＥ２，ＵＥ３について複数種類のＣＱＩの中から、ブランキング基地局を反映している１つのチャネル品質情報ＣＱＩを選択する。例えば、組合せ番号１のサービング基地局候補とブランキング基地局の組合せでは、図１３に示すように、ユーザ端末ＵＥ１，ＵＥ２，ＵＥ３に対して、サービング基地局候補は基地局ＴＰ１であり、ブランキング基地局は基地局ＴＰ２，ＴＰ３であり、干渉基地局はない。チャネル品質情報選択部２２は、ユーザ端末ＵＥ１の４つのＣＱＩ＃１〜ＣＱＩ＃４の中から、組合せ番号１の組合せに最も近い組合せを反映したＣＱＩを探す。ユーザ端末ＵＥ１の４つのＣＱＩ＃１〜ＣＱＩ＃４には、基地局ＴＰ３がブランキング基地局であるＣＱＩはないので、チャネル品質情報選択部２２は、組合せ番号１の組合せに最も近いＣＱＩ＃２（基地局ＴＰ１がサービング基地局、基地局ＴＰ２がブランキング基地局、基地局ＴＰ３が干渉基地局）を、組合せ番号１の組合せでのユーザ端末ＵＥ１のＣＱＩとして選択する。
【００４３】
チャネル品質情報選択部２２は、ユーザ端末ＵＥ２の４つのＣＱＩ＃１〜ＣＱＩ＃４の中から、組合せ番号１の組合せに最も近い組合せを反映したＣＱＩを探す。ユーザ端末ＵＥ１の４つのＣＱＩ＃１〜ＣＱＩ＃４では、ＣＱＩ＃３が組合せ番号１の組合せにマッチしている（基地局ＴＰ１がサービング基地局、基地局ＴＰ２がブランキング基地局、基地局ＴＰ３がブランキング基地局）。したがって、チャネル品質情報選択部２２は、ユーザ端末ＵＥ２のＣＱＩ＃３を、組合せ番号１の組合せでのユーザ端末ＵＥ２のＣＱＩとして選択する。
【００４４】
チャネル品質情報選択部２２は、ユーザ端末ＵＥ３の４つのＣＱＩ＃１〜ＣＱＩ＃４の中から、組合せ番号１の組合せに最も近い組合せを反映したＣＱＩを探す。ユーザ端末ＵＥ３の４つのＣＱＩ＃１〜ＣＱＩ＃４には、基地局ＴＰ２がブランキング基地局であるＣＱＩはないので、チャネル品質情報選択部２２は、組合せ番号１の組合せに最も近いＣＱＩ＃２（基地局ＴＰ１がサービング基地局、基地局ＴＰ２が干渉基地局、基地局ＴＰ３がブランキング基地局）を、組合せ番号１の組合せでのユーザ端末ＵＥ３のＣＱＩとして選択する。
【００４５】
図１２のフローチャートでは、ステップＳ５，６によって、サービング基地局候補とブランキング基地局の全部の組合せにおけるメトリック計算の完了がチェックされる。図１５は、各組合せに関して、各ユーザ端末ＵＥ１，ＵＥ２，ＵＥ３について、チャネル品質情報選択部２２で選択されたＣＱＩを示す表である。
【００４６】
ステップＳ４で、コントローラ１４のメトリック計算部２４は、組合せ番号Ｎの組合せに関して、チャネル品質情報選択部２２で選択されたＣＱＩに基づいて、各ユーザ端末ＵＥ１，ＵＥ２，ＵＥ３について、サービング基地局の選択のための基準であるメトリックを計算する。この実施の形態では、メトリック計算部２４は、各ユーザ端末ＵＥ１，ＵＥ２，ＵＥ３の複数のサービング基地局候補の各々について、そのユーザ端末への下りリンクのデータ送信に使用されるべきサブバンドを推定し、各サブバンドの個別メトリックを計算し、各ユーザ端末の各サービング基地局候補について個別メトリックの合計である合計メトリックを計算する。
【００４７】
まず、メトリック計算部２４のサブバンド推定部２６は、各ユーザ端末ＵＥ１，ＵＥ２，ＵＥ３の複数のサービング基地局候補の各々について、そのユーザ端末への下りリンクのデータ送信に使用されるべきサブバンドを推定する。この実施の形態では、サブバンド推定部２６は、各ユーザ端末の各サービング基地局候補について、最後に、そのユーザ端末への下りリンクのデータ送信に使用されたサブバンドを、そのユーザ端末への下りリンクのデータ送信に使用されるべきサブバンドとして推定する。
【００４８】
図１６はユーザ端末ＵＥ１のサービング基地局の履歴を示すチャートである。ユーザ端末ＵＥ１に関して最後に基地局ＴＰ１がサービング基地局であったのは１回前のサービング基地局選択であった。その時の基地局ＴＰ１の下りリンクのデータ送信へのサブバンド割当てを図１７に示す。ユーザ端末ＵＥ１に関して最後に基地局ＴＰ２がサービング基地局であったのは４回前のサービング基地局選択であった。その時の基地局ＴＰ２の下りリンクのデータ送信へのサブバンド割当てを図１８に示す。
【００４９】
サブバンド推定部２６は、ユーザ端末ＵＥ１のサービング基地局候補が基地局ＴＰ１である組合せ番号が１〜４の組合せ（図１３参照）に関しては、１回前のサービング基地局選択でのそのユーザ端末ＵＥ１への下りリンクのデータ送信に使用されたサブバンド（具体的には、サブバンド＃３，＃６）を、そのユーザ端末ＵＥ１への基地局ＴＰ１からの下りリンクのデータ送信に使用されるべきサブバンドとして推定する。これは、今回、基地局ＴＰ１がユーザ端末ＵＥ１のサービング基地局として決定された場合、１回前のサービング基地局選択で基地局ＴＰ１がユーザ端末ＵＥ１に割り当てたサブバンドがそのユーザ端末ＵＥ１への下りリンクのデータ送信に使用される可能性が高いからである。
【００５０】
サブバンド推定部２６は、ユーザ端末ＵＥ１のサービング基地局候補が基地局ＴＰ２である組合せ番号が５〜８の組合せ（図１３参照）に関しては、４回前のサービング基地局選択でのそのユーザ端末ＵＥ１への基地局ＴＰ２からの下りリンクのデータ送信に使用されたサブバンド（具体的には、サブバンド＃２，＃３，＃４，＃７）を、そのユーザ端末ＵＥ１への下りリンクのデータ送信に使用されるべきサブバンドとして推定する。これは、今回、基地局ＴＰ２がユーザ端末ＵＥ１のサービング基地局として決定された場合、４回前のサービング基地局選択で基地局ＴＰ２がユーザ端末ＵＥ１に割り当てたサブバンドがそのユーザ端末ＵＥ１への下りリンクのデータ送信に使用される可能性が高いからである。
【００５１】
メトリック計算部２４の個別メトリック決定部２８は、各ユーザ端末の各サービング基地局候補について、サブバンド推定部２６で推定されたサブバンドの個別メトリックを決定する。例えば、サービング基地局候補が基地局ＴＰ１である場合、ユーザ端末ＵＥ１の個別メトリックは、ｆUE1（TP1，subband#3）で表せる。サービング基地局候補が基地局ＴＰ２である場合、サブバンド＃２についてのユーザ端末ＵＥ１の個別メトリックは、ｆUE1（TP2，subband#2）で表せる。
【００５２】
ｆは、各サブバンドでのユーザ端末のＣＱＩから個別メトリックを導出する関数である。上述の通り、各ユーザ端末は、複数種類のＣＱＩをサブバンドごとに計算する（図６参照）。ステップＳ３でＣＱＩの種類が選択されているので、個別メトリック決定部２８は、サブバンド推定部２６で推定された各サブバンドでのその種類のＣＱＩから、関数ｆを用いて個別メトリックを計算する。個別メトリックは、瞬時の送信スループットでもよいし、プロポーショナルフェアネス（proportional fairness）の考え方が適用された、過去の平均送信スループットに対する瞬時の送信スループットの比でもよいし、他のメトリックでもよい。
【００５３】
メトリック計算部２４の合計メトリック計算部３０は、各ユーザ端末の各サービング基地局候補について個別メトリックの合計である合計メトリックを計算する。例えば、サービング基地局候補が基地局ＴＰ１である場合、ユーザ端末ＵＥ１の合計メトリックＴＭUE1（TP1）は、上記のようにサブバンド＃３，＃６を使用するのであれば、下記の式で表せる。
ＴＭUE1（TP1）＝ｆUE1（TP1，subband#3）＋ｆUE1（TP1，subband#6）
【００５４】
サービング基地局候補が基地局ＴＰ２である場合、ユーザ端末ＵＥ１の合計メトリックＴＭUE1（TP2）は、上記のようにサブバンド＃２，＃３，＃４，＃７を使用するのであれば、下記の式で表せる。
ＴＭUE1（TP2）
＝ｆUE1（TP2，subband#2）＋ｆUE1（TP2，subband#3）＋ｆUE1（TP2，subband#4）＋ｆUE1（TP2，subband#7）
【００５５】
ステップＳ５で、コントローラ１４は、サービング基地局候補とブランキング基地局の全部の組合せについて、各ユーザ端末ＵＥ１，ＵＥ２，ＵＥ３の合計メトリックを計算したか否か判断する。この判断が否定的であれば、ステップＳ６でコントローラ１４はＮをインクリメントし、処理はステップＳ３に戻る。この判断が肯定的であれば、ステップＳ７で、サービング基地局選択部１６は、サービング基地局候補とブランキング基地局の組合せの各々に関して、複数のユーザ端末ＵＥ１，ＵＥ２，ＵＥ３の合計メトリックの総和を計算する。
【００５６】
ステップＳ８で、サービング基地局選択部１６は、合計メトリックの総和に基づいて、各ユーザ端末ＵＥ１，ＵＥ２，ＵＥ３への下りリンクのデータ送信に使用されるべきサービング基地局の組合せを、サービング基地局候補の組合せから選択する。例えば、サービング基地局選択部１６は、合計メトリックの総和が最大の組合せを、使用されるべきサービング基地局の組合せとして決定してもよい。ステップＳ８ではブランキング基地局も決定される。例えば、組合せ番号２の組合せが選択されれば、ブランキング基地局は基地局ＴＰ２であり（図１３）、組合せ番号６の組合せが選択されれば、ブランキング基地局はない。
【００５７】
ステップＳ９でコントローラ１４はスケジューリングを実行する。具体的には、ステップＳ８で決定されたサービング基地局のどの周波数リソースにどのユーザ端末を割り当てるか決定する。また、スケジューリングにおいて、基地局送信停止部１８は、干渉信号の送信元となる送信ポイントの下りリンク送信を停止するように、非送信基地局に指令する。すなわちスケジューリングでは、ＤＰＢを実行してもよい。
【００５８】
以上のように、この実施の形態においては、ユーザ端末にデータ信号を送信するサービング基地局の候補の組合せの各々に関して、各ユーザ端末について複数種類のＣＱＩの中から、非送信基地局を反映している１つのＣＱＩが選択される（ステップＳ３）。そして、選択されたＣＱＩに基づいて、各ユーザ端末への下りリンクのデータ送信に使用されるべきサービング基地局の組合せが選択される。したがって、トラフィック状況の変化に伴う干渉状況の変化に応じて、下りリンクのデータ信号の送信に使用する送信ポイント（サービング基地局）を適切に選択することができる。すなわち図７および図８を参照して上述した問題が解決される。
【００５９】
また、この実施の形態においては、各ユーザ端末の複数のサービング基地局候補の各々について、そのユーザ端末への下りリンクのデータ送信に使用されるべきサブバンドを推定し、推定されたサブバンドに基づいて、合計メトリックを計算する（ステップＳ４）。したがって、実際に割り当てられるサブバンドに近似したサブバンドに基づいて、より適切にサービング基地局を選択することができる。すなわち図９および図１０を参照して上述した問題が解決される。
【００６０】
さらに基地局制御装置１０のサブバンド推定部２６は、各ユーザ端末の各サービング基地局候補について、最後に、そのユーザ端末への下りリンクのデータ送信に使用されたサブバンドを、そのユーザ端末への下りリンクのデータ送信に使用されるべきサブバンドとして推定する。したがって、容易にかつ高い精度で、そのユーザ端末への下りリンクのデータ送信に使用されるべきサブバンドを推定することができる。
【００６１】
次に、この実施の形態の変形を説明する。この変形では、上記の実施の形態と同様に、図１２のフローチャートに示す基地局制御方法が実行される。但し、ステップＳ４の詳細が上記の実施の形態と異なる。ステップＳ４で、コントローラ１４のメトリック計算部２４は、組合せ番号Ｎの組合せに関して、複数のサービング基地局候補の各々でチャネル品質情報選択部２２で選択されたＣＱＩに基づいて、各ユーザ端末ＵＥ１，ＵＥ２，ＵＥ３について、サービング基地局の選択のための基準であるメトリックを計算する。この変形例では、メトリック計算部２４は、各ユーザ端末ＵＥ１，ＵＥ２，ＵＥ３について、そのユーザ端末への下りリンクのデータ送信に使用されるべきサブバンドを他ユーザ端末の予測メトリックと比較することで推定し、推定されたサブバンドについて、メトリックの合計を計算する。
【００６２】
まず、メトリック計算部２４のサブバンド推定部２６は、各サブバンドでのユーザ端末のＣＱＩから個別メトリックを導出する上記の関数ｆを使用して、利用可能なすべてのサブバンドでの予測メトリックを推定する。図１９は、このようにして推定された組合せ番号１の組合せ（ユーザ端末ＵＥ１，ＵＥ２，ＵＥ３に対して、サービング基地局候補は基地局ＴＰ１）に対応する基地局ＴＰ１の予測メトリックの例を示す表である。例えば、ユーザ端末ＵＥ１にサブバンド＃１を割り当てた場合の予測メトリックは１であり、ユーザ端末ＵＥ２にサブバンド＃４を割り当てた場合の予測メトリックは２である。これらの予測メトリックは、過去の統計から得ることができる。記憶装置１５には、サービング基地局の候補の組合せの各々について、各基地局の複数のサブバンドの予測メトリックが記憶されている。
【００６３】
メトリック計算部２４のサブバンド推定部２６は、各ユーザ端末ＵＥ１，ＵＥ２，ＵＥ３の各サービング基地局候補について、各サブバンドに関して推定された複数のユーザ端末の予測メトリックのうち、最良の予測メトリックに対応するユーザ端末を、そのサブバンドで下りリンクのデータ送信に使用するユーザ端末として推定する。そして、サブバンド推定部２６は、この推定に従って、各ユーザ端末への下りリンクのデータ送信に使用されるべきサブバンドを推定する。例えば、図１９に示す例において、サブバンド推定部２６は、サブバンド＃３は最良の予測メトリック４を有するユーザ端末ＵＥ１に使用されるべきとして推定し、サブバンド＃２，＃５は最良の予測メトリックを有するユーザ棚末ＵＥ２に使用されるべきとして推定し、サブバンド＃１，＃４，＃６，＃７は最良の予測メトリックを有するユーザ端末ＵＥ３に使用されるべきとして推定する。こうして、サブバンド推定部２６は、ユーザ端末ＵＥ１に使用されるべきサブバンドはサブバンド＃３であり、ユーザ端末ＵＥ２に使用されるべきサブバンドはサブバンド＃２，＃５であり、ユーザ端末ＵＥ３に使用されるべきサブバンドはサブバンド＃１，＃４，＃６，＃７であると決定する。
【００６４】
メトリック計算部２４の個別メトリック決定部２８は、各ユーザ端末の各サービング基地局候補について、サブバンド推定部２６で推定されたサブバンドの個別メトリックを決定する。具体的には、各ユーザ端末に対してサブバンド推定部２６で推定されたサブバンドに対応する予測メトリックを、そのユーザ端末のサブバンド推定部２６で推定されたサブバンドの個別メトリックとして決定する。例えば、図１９に示す例において、個別メトリック決定部２８は、ユーザ端末ＵＥ１に対して推定されたサブバンド＃３の予測メトリック４をユーザ端末ＵＥ１の個別メトリックとして決定する。個別メトリック決定部２８は、ユーザ端末ＵＥ２に対して推定されたサブバンド＃２の予測メトリック３とサブバンド＃５の予測メトリック４をユーザ端末ＵＥ２の個別メトリックとして決定する。個別メトリック決定部２８は、ユーザ端末ＵＥ３に対して推定されたサブバンド＃１の予測メトリック４とサブバンド＃４の予測メトリック３とサブバンド＃６の予測メトリック３とサブバンド７の予測メトリック４をユーザ端末ＵＥ２の個別メトリックとして決定する。
【００６５】
メトリック計算部２４の合計メトリック計算部３０は、各ユーザ端末の各サービング基地局候補について、個別メトリック決定部２８で決定された個別メトリックの合計である合計メトリックを計算する。例えば、図２０に示す例において、ユーザ端末ＵＥ１の合計メトリックＴＭUE1（TP1）は４であり、ユーザ端末ＵＥ２の合計メトリックＴＭUE2（TP1）は３＋４＝７であり、ユーザ端末ＵＥ３の合計メトリックＴＭUE3（TP1）は４＋３＋３＋４＝１４である。この変形では、ＣＱＩから一旦推定された予測メトリックを利用して、使用されるべきサブバンドを推定することにより、容易にかつ高い精度で、そのユーザ端末への下りリンクのデータ送信に使用されるべきサブバンドを推定し、メトリックを高い精度で計算することができる。
【００６６】
上記の実施の形態および変形において、基地局制御装置１０は、それ自体がユーザ端末と無線通信可能なマクロセル基地局であってよい。基地局ＴＰ１，ＴＰ２，ＴＰ３は、マクロセル基地局より送信電力が小さいスモールセル基地局（例えばピコセル基地局）であってよい。すなわち、無線通信ネットワークは、送信電力が異なる基地局のセルエリアがオーバレイされたヘテロジーニアスネットワークであってよい。
【００６７】
上記の実施の形態および変形において、図１２のフローチャートに示す基地局制御方法のすべてのステップは、基地局制御装置１０で実行される。しかし、いくつかのステップは、基地局ＴＰ１，ＴＰ２，ＴＰ３の各々で実行されてもよい。例えば、スケジューリング（ステップＳ９）は基地局ＴＰ１，ＴＰ２，ＴＰ３の各々で実行されてもよい。
【００６８】
上記の実施の形態および変形において、ＣＰＵが実行する各機能は、ＣＰＵの代わりに、ハードウェアで実行してもよいし、例えばFPGA（Field Programmable Gate Array）、DSP（Digital Signal Processor）等のプログラマブルロジックデバイスで実行してもよい。
【００６９】
上記の実施の形態および変形において、各ユーザ端末について複数種類のＣＱＩの中から、非送信基地局を反映している１つのＣＱＩが選択される（ステップＳ３）。そして、選択されたＣＱＩに基づいて、各ユーザ端末への下りリンクのデータ送信に使用されるべきサービング基地局の組合せが選択される。しかし、ステップＳ３のＣＱＩの選択では、必ずしも非送信基地局を反映しているＣＱＩを選択しなくてもよい。すなわち、図７および図８を参照して上述した問題を解決することは、本発明では必須ではない。
【符号の説明】
【００７０】
ＴＰ１，ＴＰ２，ＴＰ３  基地局、ＵＥ１，ＵＥ２，ＵＥ３  ユーザ端末、１０  基地局制御装置、１２  基地局通信部、１４  コントローラ、１５  記憶装置、１６  サービング基地局選択部、１８  基地局送信停止部、２０  サービング基地局候補組合せ決定部、２２  チャネル品質情報選択部、２４  メトリック計算部、２６  サブバンド推定部、２８  個別メトリック決定部、３０  合計メトリック計算部。
【図１】
0006308899.tif 000002
【図２】
0006308899.tif 000003
【図３】
0006308899.tif 000004
【図４】
0006308899.tif 000005
【図５】
0006308899.tif 000006
【図６】
0006308899.tif 000007
【図７】
0006308899.tif 000008
【図８】
0006308899.tif 000009
【図９】
0006308899.tif 000010
【図１０】
0006308899.tif 000011
【図１１】
0006308899.tif 000012
【図１２】
0006308899.tif 000013
【図１３】
0006308899.tif 000014
【図１４】
0006308899.tif 000015
【図１５】
0006308899.tif 000016
【図１６】
0006308899.tif 000017
【図１７】
0006308899.tif 000018
【図１８】
0006308899.tif 000019
【図１９】
0006308899.tif 000020